Podtech/llm-jp-corpus-v4-ja_patent huggingface dataset:
(57)【特許請求の範囲】
【請求項１】
支柱と該支柱に支持され、縦線材と横線材からなる線格子で形成されたフエンスパネルを有する防獣フエンスにおいて、
前記フエンスパネルの下端部を曲げて形成された筒形状の円筒部と、
該円筒部に連結された、縦線材と横線材からなる線格子で形成した下部パネルと、を備え、
前記円筒部の最下端の横線材と前記下部パネルの最上段の横線材を連結し、前記下部パネルの下端を地中に埋設した、
ことを特徴とする防獣フエンス。
【請求項２】
前記下部パネルの縦線材の上端部が前記フエンスパネルの円筒部の内部に貫入する、
請求項１の防獣フエンス。
【発明の詳細な説明】
【０００１】
【発明の属する技術分野】
この発明は、防獣フエンスに関する。
【０００２】
【従来の技術】
高速道路や鉄道に沿って敷設されるフエンスは野生動物等の侵入を防ぐための構造とすることが多く、このようなフエンスを防獣フエンスと称している。野生動物の侵入を防止するために必要な構造の中の最も典型的なものは、フエンスの下部と地面との隙間をなくすために、フエンスパネルの下端部を延長することである。
そのため、従来はフエンスパネルの下端部を長く形成した防獣フエンス専用のフエンスパネルを用いていた。
【０００３】
【発明が解決しようとする課題】
しかし、防獣フエンス専用のフエンスパネルを作成、在庫管理することは非常に経済効率が悪い上、フエンスの敷設場所により、フエンスと地面との隙間の高さにはバラツキがあり、下端部を長くしたフエンスパネルではこのようなバラツキに対応出来ないか、対応するためには種々の寸法のパネルを用意する必要がある等の問題があった。
本発明は上記従来技術の問題を解決することを目的とする。
【０００４】
【課題を解決するための手段】
上記目的を達成するために、本発明は、支柱と該支柱に支持され、縦線材と横線材からなる線格子で形成されたフエンスパネルとを有する防獣フエンスにおいて、前記フエンスパネルの下端部を曲げて形成された筒形状の円筒部と、該円筒部に連結された、縦線材と横線材からなる線格子で形成した下部パネルと、を備え、前記円筒部の最下端の横線材と前記下部パネルの最上段の横線材を連結し、前記下部パネルの下端を地中に埋設した、ことを特徴とする。
また更に請求項２の発明においては、前記下部パネルの縦線材の上端部が前記フエンスパネルの円筒部の内部に貫入する、ことを特徴とする。
上記構成により、通常のフエンスパネルに下部パネルを連結することにより防獣フエンスを構成できる。しかも前記フエンスパネル及び下部パネルは、縦線材と横線材からなる線格子で形成されているため、単に横線材どうしを連結し、下部パネルの下端を地中に埋設することにより簡単に下部パネルの連結が可能であり、支柱などに連結する必要がない。また、フエンスパネルの下端部を折り曲げることにより強度の強化を図ることができ、また、折り曲げた円筒部を胴縁と共用することも可能になる。
なお前記下部パネルの下端を地中に埋設することにより動物が穴を掘って侵入することを防止できる効果もある。
【０００５】
【発明の実施の形態】
以下本発明の実施の形態を図面に基づいて説明する。
図１において、フエンスパネル１は支柱９、９に接続具７、接続具８を介して支持されてフエンスを構成している。フエンスパネル１は縦線材１５と横線材１６をほぼ直角に交差させて溶接した格子フエンスになっている。
【０００６】
フエンスパネル１の上端と下端には円筒部１０、円筒部１１が形成されており、この部分が胴縁の機能を果たすようになっている。
【０００７】
フエンスパネル１の下側には下部パネル２が連結されている。下部パネル２は図２及び図３に示すように、縦線材１５と横線材１６から構成される線格子フエンスであって、その最上段の横線材１６がフエンスパネル１の円筒部１１の最下端の横線材１６と継ぎ金具２０により結合され、この結合によりフエンスパネル１と下部パネル２が連結されている。
【０００８】
下部パネル２の下側は土壌５０に埋められており、これにより動物が穴を開けて侵入することを防止している。
【０００９】
上記実施形態において、フエンスパネル１の下端と土壌５０との間の隙間の長さや、土壌５０に埋設する部分の長さなどに応じて下部パネル２の長さを換えるだけで適切な防獣効果を得ることができる。
また、円筒部１１を形成してあるため、強度の向上が図れる。しかも円筒部１１は胴縁を兼用しているため、フエンスパネル１を通常のフエンスとして使用することが可能であり、効率的である。
更にフエンスパネル１と下部パネル２の連結は円筒部１１において行われるため、連結強度を向上させることができる。上記実施形態では横線材１６、１６を継ぎ金具２０により連結しているだけであるが、必要な強度に応じて下部パネル２の縦線材１５を円筒部１１の横線材１６と結合するなどの強度向上策を図ることが可能である。
【００１０】
【発明の効果】
以上説明したように本発明によれば、製造、敷設が簡単で、防獣効果が高く、しかも強度の大きな防獣フエンスを得ることができる効果がある。
【図面の簡単な説明】
【図１】本発明の一実施形態を示す正面図。
【図２】本発明の一実施形態を示す部分拡大図。
【図３】本発明の一実施形態を示す図２におけるａ−ａ矢視図。
【符号の説明】
１：フエンスパネル、２：下部パネル、７：接続具、８：接続具、９：支柱、１０：円筒部、１１：円筒部、１５：縦線材、１６：横線材、２０：継ぎ金具、５０：土壌。
【図１】
0004807813.tif 000002
【図２】
0004807813.tif 000003
【図３】
0004807813.tif 000004
(57)【特許請求の範囲】
【請求項１】
シンナミックアルデヒド、ヘリオナール、シトロネラール、フェニルエチルアルコール、エストラゴール、ジャスモン、アントラニル酸メチル、ベンジルアルコール、フェニルプロピルアルコール、アニスアルデヒド、ヒドロキシシトロネラール、ヘディオン、フローラルオゾン及びリリアールから選ばれる１種又は２種以上を用いてゴキブリをフラッシングアウトさせる方法。
【発明の詳細な説明】
【０００１】
【発明の属する技術分野】
本発明は、新規なゴキブリ用フラッシングアウト剤に関する。
【０００２】
【従来の技術】
ゴキブリのようなふだんは人の目につかない物陰に潜んでいる害虫を駆除する場合、エアゾール剤を噴霧したり、燻蒸剤で燻したりすることが行われている。これらの製剤にピレスロイド系殺虫剤が配合されている場合には、ゴキブリが物陰から飛び出してくる現象（フラッシングアウト）がみられることが知られている。そしてこの現象によりゴキブリが殺虫剤と接触する機会が増えて殺虫効果を高めることができる。そのため物陰が多い厨房設備、自動販売機、食品倉庫などでゴキブリを駆除する際に、重要な作用の一つとして認識されている。
【０００３】
一方、ピレスロイド系殺虫剤を多用するとゴキブリが抵抗性を発達させ、その結果十分なフラッシングアウト、殺虫効果を得ることができないことがある。ところがこの現象はピレスロイド系殺虫剤に独特のもので、有機リン系やカーバメイト系殺虫剤にはみられず、その他に有効な薬剤は知られていない。そのためピレスロイド系殺虫剤に代わる有効な薬剤の開発が望まれている。
【０００４】
【発明が解決しようとする課題】
本発明は、上記のごとき現状を鑑みてなされたものであり、ピレスロイド系殺虫剤に代わる、ゴキブリに対してフラッシングアウトを引起こす新規な薬剤を提供することを目的とするものである。
【０００５】
【課題を解決するための手段】
本発明者は上記の課題を満足するために鋭意検討した結果、ある種の精油成分又は芳香成分がゴキブリに対してフラッシングアウトを引起こすことを見出し本発明に至った。すなわち本発明は以下の薬剤を用いたゴキブリをフラッシングアウトさせる方法である。
（１）シンナミックアルデヒド、ヘリオナール、シトロネラール、フェニルエチルアルコール、エストラゴール、ジャスモン、アントラニル酸メチル、ベンジルアルコール、フェニルプロピルアルコール、アニスアルデヒド、ヒドロキシシトロネラール、ヘディオン、フローラルオゾン及びリリアールから選ばれる１種又は２種以上を用いてゴキブリをフラッシングアウトさせる方法。
【０００６】
【発明の実施の形態】
本発明においてフラッシングアウト有効成分としては、シトロネラール、ヒドロキシシトロネラール等で例示されるテルペン系アルデヒド；アニスアルデヒド、フェニルアセトアルデヒド、シンナミックアルデヒド、リリアール、ヘリオナール、フローラルオゾン(floralozone)等で例示される芳香環を有するアルデヒド；ベンジルアルコール、フェニルエチルアルコール、フェニルプロピルアルコール、フェニルブチルアルコール等で例示される芳香環を有するアルコール；リグストラール、ジャスモン、ヘディオン等で例示される環状ケトン；アントラニル酸メチル、アントラニル酸エチル等で例示されるアントラニル酸エステル；エストラゴール等で例示されるフェノールが挙げられ、これらは単独又は２種以上を組合せて用いることができる。
【０００７】
これらの中でも、シトロネラール、シンナミックアルデヒド、ヘリオナール、ベンジルアルコール、フェニルエチルアルコール、フェニルプロピルアルコール、エストラゴール、ジャスモン、アントラニル酸メチルが、フラッシングアウトに優れているので好ましい。
【０００８】
本発明のゴキブリ用フラッシングアウト剤（以下、フラッシングアウト剤とも言う）は、適切な担体、噴射剤、添加剤等を用いて各種の製剤とすることができ、例えば、エアゾール剤、全量噴射型エアゾール剤、スプレー剤、燻蒸剤、燻煙剤、蒸散剤、液剤、乳剤、塗布剤、吸液芯用液剤等として用いることができ、エアゾール、全量噴射型エアゾール剤、スプレー剤、液剤、乳剤が有効成分を適切な大きさの液滴として使用でき効果に優れることから好ましい。
【０００９】
これらの製剤とするには、水、アルコール類、ペンタン類、パラフィン類、グリコール類等の液体担体；無機粉体、有機粉体等の固体担体；液化ガス、圧縮ガス等の噴射剤；界面活性剤、増粘剤、酸化防止剤、皮膜形成剤等の添加剤を用いて調製すればよい。
【００１０】
そして製剤において有効成分の含有量としては、製剤全量に対して０．１〜２０重量％、さらには０．５〜２０重量％とすればよい。
【００１１】
また必要に応じて製剤に、殺虫剤、殺菌（防黴）剤、芳香剤、消臭剤等を含有させて用いてもよい。
【００１２】
本発明のフラッシングアウト剤は、厨房設備、食品倉庫等で燻蒸、蒸散したり、自動販売機、食器棚の隙間に噴霧して用いるのに適している。
【００１３】
【実施例】
以下に実施例によって本発明をさらに詳しく説明するが、本発明はこれらに限定されるものではない。
【００１４】
フラッシングアウトの評価
（１）試験方法
供試薬剤を２．５％含有したエタノール溶液を調製し、その５０ｍｌを空気で加圧してスプレー剤とした。そしてベニヤ板で作った試験箱（一片５ｃｍ、高さ１５ｃｍの三角柱、柱の一端をベニヤ板で密封した）にチャバネゴキブリ雌成虫１０頭を入れガーゼをかぶせて輪ゴムで止めた。この試験箱を１２時間静置した後、図１に概略を示すように、直径２０ｃｍ、高さ５５ｃｍの円筒中に試験箱を垂直に立てて置き、６０ｃｍの高さからスプレー剤を２秒間（約１ｇ）噴霧した。噴霧した後、円筒を取り除き、経時的に試験箱から飛び出してくるチャバネゴキブリの数を計数した。比較例として、供試薬剤を３種のピレスロイド系殺虫剤２．５％に代えたスプレー剤を用いて、同様の試験を行った。
【００１５】
（２）試験結果
試験結果は表１に記載した。本発明のフラッシングアウト剤である精油成分又は芳香成分は、噴霧して３０秒後には飛び出しがみられ、フラッシングアウトに優れていた。その効果はいずれも比較例に用いたピレスロイド系殺虫剤を上回るものであった。
【００１６】
特にシトロネラール、シンナミックアルデヒド、ヘリオナール、ベンジルアルコール、フェニルエチルアルコール、フェニルプロピルアルコール、エストラゴール、ジャスモン、アントラニル酸メチルが効果に優れていた。
【００１７】
【表１】
0004807676.tif 000002
【００１８】
0004807676.tif 000003
【００１９】
0004807676.tif 000004
【００２０】
0004807676.tif 000005
【００２１】
【発明の効果】
本発明によって、ピレスロイド系殺虫剤に代わる、ゴキブリに対してフラッシングアウトを引起こす新規な薬剤を提供することができる。
【図面の簡単な説明】
【図１】フラッシングアウトの評価に用いる試験方法の説明図である。
【図１】
0004807676.tif 000006
(57)【特許請求の範囲】
【請求項１】
浄水場又は下水処理場に送られる原水中の浮遊物が凝集沈殿することで発生する発生土を、鉄又はマンガンのいずれか一方を０．１重量％以上含有するよう場内プロセス中のろ過砂剥離酸化鉄・酸化マンガンを添加して、粒径５ｍｍ±３ｍｍの範囲に造粒することを特徴とする発生土の処理方法。
【請求項２】
発生土の造粒に先立ち、増粘剤又はゲル化剤を発生土の含水重量に対して0.5〜2.0％添加して造粒することを特徴とする請求項１記載の方法。
【請求項３】
請求項１又は２記載の方法に従って処理した発生土に、堆肥を混合した植物栽培土壌。
【発明の詳細な説明】
【技術分野】
【０００１】
本発明は、浄水場や下水処理場にて処理される河川水又は下水に浮遊物を、凝集沈殿することで発生する汚泥（これを発生土と呼ぶ）を処理する方法に関する。
【背景技術】
【０００２】
浄水場又は下水処理場で処理される河川水や下水は、多彩な有機物と無機物を含有するのが通例であって、これらの有機物や無機物が凝集沈殿した浄水場発生土及び下水処理場発生土は、これに必要に応じて肥料成分や土壌改良剤などを混合し、植物栽培用の土として利用されて来ている（特許文献１参照）
【０００３】
元来日本では、森林に由来する黒土（黒褐色）や火山活動に由来する赤土（茶褐色）が、園芸用の土としてもてはやされて来た関係で、黒褐色ないしは茶褐色を呈する土が、園芸用の良質土として広く認識されている。然るに、上記のような発生土は、その固形分の大部分がシルトであるため、これを大気中に放置すると、灰青色ないしは灰緑色を呈する不都合がある。つまり、発生土に肥料成分や土壌改良剤を混合し、質的にも量的にも天然の黒土や赤土に匹敵する作り土を調製しても、その外観から良質土として認識されない場合が多い。
【特許文献１】特許第３２６４９３８号
【発明の開示】
【発明が解決しようとする課題】
【０００４】
本発明は、大気中で放置すると灰青色ないしは灰緑色を呈する発生土の外観を、黒褐色ないしは茶褐色に呈色させる方法を提供する。一般に、発生土を積み上げて大気中に放置すると、大気に接して自然乾燥した発生土は、その色相がＲ〜Ｂ（マンセル表記）の範囲にあり、明度は３〜５（マンセル表記）の範囲になるのが通例である。本発明の処理方法によれば、３〜５（マンセル表記）の範囲にある発生土の当初の明度を、２（マンセル表記）以上低下させることができる。
【課題を解決するための手段】
【０００５】
本発明が提案する発生土の処理方法のひとつは、浄水場又は下水処理場から得られる発生土を、如何なる助剤の共存しない条件下に、粒径５ｍｍ±３ｍｍの範囲に造粒することを特徴とする。
本発明に係る発生土処理方法の他のひとつは、発生土の造粒に先立ち、増粘剤又はゲル化剤を発生土の含水重量に対して0.5〜2.0重量％添加し、得られた混合物を粒径５ｍｍ±３ｍｍの範囲に造粒することを特徴とする。
この際、造粒土の表面水が1000ｍPa.s以上となるようにゲル化剤または増粘剤を添加することが望ましく、代表的なゲル化剤CMC製剤の1％溶液粘度表を下に記載する。
【０００６】
【表１】
0004810260.tif 000002
【０００７】
浄水場又は下水処理場から得られる発生土は、４０〜７５重量％の水分を含有し、残りの２５〜６０重量％は雑多な有機物及び粘土鉱物からなり、有機物は固形分の１５〜６０重量％（ＶＯＣ換算）を占める。そして、発生土中には鉄やマンガンなどの金属成分がイオンとして溶解しているほか、金属塩の形で有機物や粘土鉱物に含まれている。ちなみに、発生土を強制乾燥して得た固体を、王水で抽出し、抽出液の炎色反応から原子吸光法で鉄及びマンガンの含有量を測定すると、発生土は押し並べて、鉄又はマンガンのいずれか一方を０．１重量％以上含有する。
【０００８】
本発明者等が得た知見によれば、適度に湿潤した発生土を、転動造粒又は振動造粒などの手段で粒径５ｍｍ±３ｍｍ程度の球形粒子に造粒して大気中に放置すると、その粒子群は、全体として黒味を帯びた外観を呈することが分かった。造粒された粒子が黒味を帯びて見えるのは、粒子内部から水分が表面に浸出して粒子表面に液膜が形成され、その液膜に溶存している鉄イオンやマンガンイオンが、空気中の酸素で酸化されるためと考えられる。この推測の真否は別にして、造粒前の発生土は、その明度が３〜５の範囲にあるが、造粒によってその明度を２以下に低下させ得ることを本発明者等は見出した。
【発明の効果】
【０００９】
浄水場又は下水処理場からの発生土は、大気中において灰青色ないしは灰緑色を呈するのが通常であるが、これを本発明の方法で処理することにより、その外見を茶褐色ないしは黒褐色に変化させることができる。ちなみに、東京都朝霞浄水場からの発生土は、色相Ｒ〜Ｂ（マンセル表記）、明度３〜５（マンセル表記）の範囲にあるが、この発生土を本発明の方法で処理することで、その色相はＲ〜Ｂ及びＮ（マンセル表記）に、明度は２（マンセル表記）以下に低下する。
【発明を実施するための最良の形態】
【００１０】
発生土の造粒には、転動造粒、振動造粒、押し出し造粒などのいずれかを採用することができ、造粒後の粒子の粒径は、５ｍｍ±３ｍｍ程度とすることが好ましい。転動造粒、振動造粒を採用した場合には、ほぼ球形の粒子が得られるのとは対照的に、押し出し造粒を採用した場合は円柱状の粒子が得られるが、この円柱状粒子の大きさは、円柱直径も円柱高さも共に５ｍｍ±３ｍｍ程度であることが好ましい。
【００１１】
本発明では、造粒に先立って発生土に増粘剤又はゲル化剤を配合することができる。増粘剤には、ポリアクリルアマイド製剤やグアーガムなどが使用でき、ゲル化剤には、CMC製剤などの非加熱で作用するものが使用できる。増粘剤及びゲル化剤の使用量は、造粒に供する発生土の含水量１００重量部当たりそれぞれ0.5〜2.0％重量部の範囲で選択される。
(57)【特許請求の範囲】
【請求項１】
勾配付きの坑口から覆工完了後のセントルを引き出して解体する方法であって、
坑口から外部に勾配に沿ってレールを敷設するとともに、水平個所までレールを延長して敷設しておき、
坑口から外部の勾配に沿ったレール上を移動させてセントルを引き出して水平個所まで移動した後、
その水平個所においてセントルを解体することを特徴とする勾配付き坑口からのセントル引き出し解体方法。
【発明の詳細な説明】
【技術分野】
【０００１】
本発明は、勾配付きの坑口から覆工完了後のセントルを外部に引き出して解体する方法に関する。
【背景技術】
【０００２】
トンネルの築造において、覆工のために移動式のセントルが用いられる（例えば特許文献１参照）。覆工完了後、坑内でセントルの解体ができない場合、セントルは坑口から外部に引き出されて解体される。
【特許文献１】特開２００５−１７１５４９号公報
【発明の開示】
【発明が解決しようとする課題】
【０００３】
ところで、勾配付きの坑口の場合、勾配に沿って外部の地面に敷設したレール上を移動させてセントルを外部に引き出した状態で解体するのは不安定な作業を強いることになる。
【０００４】
本発明の課題は、勾配付きの坑口において、勾配に沿って外部に引き出したセントルを水平な位置まで移動して安全な解体作業を可能とすることである。
【課題を解決するための手段】
【０００５】
以上の課題を解決するため、本発明は、勾配付きの坑口から覆工完了後のセントルを引き出して解体する方法であって、坑口から外部に勾配に沿ってレールを敷設するとともに、水平個所までレールを延長して敷設しておき、坑口から外部の勾配に沿ったレール上を移動させてセントルを引き出して水平個所まで移動した後、その水平個所においてセントルを解体することを特徴とする。
【発明の効果】
【０００６】
本発明によれば、勾配付きの坑口からセントルを外部の勾配に沿ったレール上を移動させて引き出して水平個所まで移動した後、その水平個所においてセントルを解体するため、坑内での解体ができなく、かつ勾配付きの坑口の場合でも、坑口から外部の勾配に沿って引き出したセントルを水平個所において安全でスムーズに解体できる。
【発明を実施するための最良の形態】
【０００７】
以下、図を参照して本発明を実施するための最良の形態を詳細に説明する。
図１は本発明を適用した一実施形態を示すもので、１は勾配付きの坑口、２はセントル、３はレール、４はコンクリートブロック、５はコンクリート道床である。
実施例において、勾配付きの坑口１は、周回道路の直下にあり、構造上、複鉄筋（アーチ及びインバート）区間となるため、インバートの後施工ができない状況である。そのため、勾配付きの坑口１の前でセントル２を水平にするクリアランスが確保できず、勾配付きの坑口１から同一勾配で外部にセントルを引き出して解体する必要がある。
【０００８】
従って、実施例では、勾配付きの坑口１から外部に、同一勾配の盛土をして、その盛土の勾配に沿ってレール３を敷設しておく。具体的には、図３に示すように、勾配付きの坑口１から同一勾配の盛土を水平盤までしておき、レール３の固定は現場の残コンで製作したコンクリートブロック４を枕として使用することによりレール３を敷設しておくことで、セントル２の移動時の反力がとれるようにした。
そして、勾配摺り付け区間は、セントル２の移動時の反力が大きくなることから、現場の捨てコンを打設して、図２に示すように、コンクリート道床５を水平盤まで敷設した。このコンクリート道床５に直にレール３を敷設した。
さらに、水平盤において、レール３を延長して敷設しておく。具体的には、図３に示すように、残コンで製作したコンクリートブロック４を枕としてレール３を敷設した。
【０００９】
次に、以上の勾配付きの坑口１から覆工完了後のセントル２を外部に引き出して解体する方法について説明する。
これに先立ち、覆工完了後は、坑内のレール上に移動させてセントル２を勾配付きの坑口１の付近に戻しておく。
そして、図１及び図２に示すように、勾配付きの坑口１からセントル２を外部の勾配に沿ったレール３上に移動させて引き出し、続いて、図３に示すように、セントル２を水平盤まで移動させる。
その後、その水平盤において、図示しないが、クレーン等を用いてセントル２を解体する。
【００１０】
このように、坑内での解体ができなく、かつ勾配付きの坑口１の場合において、坑口１から外部の勾配に沿って引き出したセントル２を水平盤にてスムーズに解体できて、作業の安全を確保できるものとなる。
【００１１】
なお、以上の実施形態においては、坑口から外部に向かって上る勾配としたが、本発明はこれに限定されるものではなく、坑口から外部に向かって下る勾配であっても良い。
また、坑口の周辺部の条件等も任意であり、その他、具体的な細部構成等についても適宜に変更可能であることは勿論である。
【図面の簡単な説明】
【００１２】
【図１】本発明を適用した一実施形態を示すもので、外部から坑口側を見た概略斜視図である。
【図２】地面へのコンクリート打設を示した概略斜視図である。
【図３】セントルの移動中を示した概略斜視図である。
【符号の説明】
【００１３】
１  勾配付きの坑口
２  セントル
３  レール
４  コンクリートブロック
５  コンクリート道床
【図１】
0004642677.tif 000002
【図２】
0004642677.tif 000003
【図３】
0004642677.tif 000004